(57)【要約】【課題】簡単な構造と簡単な製造方法で、腹部の肉が前方に張り出すことによるベルト部の折れ曲がりを防ぎ、快適に着用することができ、外観も良好な下衣を提供する。【解決手段】着用者１１の下半身を覆う本体１２と、本体１２に連続し着用者１１のウエスト１１ａに巻き回すベルト部２２を有する。ベルト部２２には、着用者１１の腹部１１ｂ側に位置する剛性ゴム紐２８と、それ以外の身体後側に位置する柔性ゴム紐３０が、環状に連結されている。剛性ゴム紐２８は、柔性ゴム紐３０と比較して適度な硬さを有し幅方向に折れ曲がり難いもので長手方向には十分な伸縮性を有し、柔性ゴム紐３０は剛性ゴム紐２８よりも柔軟で長手方向に伸縮性を有する。剛性ゴム紐２８の長手方向の両方の端部２８ａと、柔性ゴム紐３０の長手方向の両方の端部３０ａは、着用者１１の両脇よりも腹部１１ｂ側へ２ｃｍ〜８ｃｍ移動した位置で各々連結されている。【選択図】図１
2019099967.tif 000002
【特許請求の範囲】
【請求項１】
着用者の下半身を覆う本体と、前記本体に連続し前記着用者のウエストに巻き回すベルト部が設けられ、前記ベルト部には、前記着用者の腹部側に位置する剛性ゴム紐と、それ以外の身体後側に位置する柔性ゴム紐が、環状に連結されて設けられ、前記剛性ゴム紐は、前記柔性ゴム紐と比較して適度な硬さを有し幅方向に折れ曲がり難いものであり、長手方向に伸縮性を有し、前記柔性ゴム紐は前記剛性ゴム紐よりも柔軟で長手方向に伸縮性を有し、前記剛性ゴム紐の長手方向の両方の端部と、前記柔性ゴム紐の長手方向の両方の端部は、前記着用者の、両脇よりも腹部側に移動した位置で各々連結されていることを特徴とする下衣。
【請求項２】
前記剛性ゴム紐の端部と、前記柔性ゴム紐の端部は、互いに所定長さを重ねて連結され、互いに重ねて連結された部分は、前記剛性ゴム紐や前記柔性ゴム紐よりも硬い支持部が形成されることを特徴とする請求項１記載の下衣。
【請求項３】
前記支持部は、前記着用者の、両脇よりも腹部側へ各々２ｃｍ〜８ｃｍ移動した位置に設けられている請求項１又は２記載の下衣。
【請求項４】
前記剛性ゴム紐と前記柔性ゴム紐の幅は、１０ｃｍ以下の幅広のゴム紐であり、前記剛性ゴム紐の端部と前記柔性ゴム紐の端部の重なりは、１ｃｍ〜４ｃｍである請求項３記載の下衣。
【請求項５】
前記ベルト部は、ベルト部用生地を二つ折りし、前記本体の上端部に縫い付けられて筒状の挿通部が形成され、前記挿通部の中には、前記剛性ゴム紐と前記柔性ゴム紐が環状に連結されて挿通され、前記剛性ゴム紐と前記柔性ゴム紐が環状に連結されて形成された輪の長さは、前記着用者のウエストの円周方向の長さよりも少し短く、着用時に適度に伸ばされてウエストを締め付けて着用する請求項３記載の下衣。
【発明の詳細な説明】
【技術分野】
【０００１】
この発明は、着用者の下半身に着用されウエストに巻き回すベルト部を有する下衣に関する。
【背景技術】
【０００２】
従来、ズボンやスパッツ等、着用者の下半身に着用される下衣は、図３に示すように、着用者１１のウエスト１１ａに巻き回すベルト部２２を有し、ベルト部２２で着用者１１のウエスト１１ａに係止されている。このベルト部２２は、一方向に長くカットされた生地を長手方向に沿って折り曲げて所定幅で縫い合わせて挿通部を形成し、挿通部の中に平坦なゴム紐２３を通して設けられている。ゴム紐２３は、ベルト部２２の円周方向に沿って伸縮し、引き伸ばされた状態で弾性的に着用者１１のウエスト１１ａに密着している。
【０００３】
しかし、ゴム紐２３は、幅方向に剛性がなく、しかも着用状態で長手方向に引き伸ばされることによって厚みが薄くなるとともに、長手方向と交差する方向の幅が縮む。すると、図３に示すように、ウエスト１１ａの腹部１１ｂは柔らかいためゴム紐２３が食い込み、ゴム紐２３が食い込むと、特に腹部１１ｂが出っ張った人の場合、腹部１１ｂの肉がゴム紐２３の上端部から前方に張り出し、ゴム紐２３の上端縁部は腹部１１ｂに押されて裏返り、下方に向く。この状態では、ゴム紐２３は、腹部１１ｂの両脇付近で折れ曲がり始め、この位置を折り曲げ開始位置Ａとして、左右の折り曲げ開始位置Ａの間の、腹部１１ｂを覆う部分が長手方向に沿って折り曲げられ二つ重ねとなる。ゴム紐２３が二つ重ねになるとその部分の圧力が強くなり、食い込みが強くなり着心地が悪く、また外観も良くないものである。
【０００４】
また、ベルト部のウエストへの食い込みを軽減するものとして、引用文献１に開示されている衣類の端部構造がある。これは、ベルト部の長手方向に沿って低伸度の領域と、高伸度の領域が交互に形成されているものである。着用状態において高伸度の領域が長手方向に引き伸ばされて薄くなっても、両側部分に隣接する低伸度の領域が高伸度の領域ほど引き伸ばされないため、厚みもあまり薄くならず、長手方向と交差する方向の幅の縮みも少なく折れ曲がり難い。また、高伸度の領域が引き伸ばされても隣接する低伸度の領域の剛性によって高伸度の領域の折れ曲がりを軽減することができる。この結果、適切な着圧を維持しつつ、ウエストへの食い込みを緩和することができる。
【先行技術文献】
【特許文献】
【０００５】
【特許文献１】ＷＯ２０１３／０４６４５７号公報
【発明の概要】
【発明が解決しようとする課題】
【０００６】
上記引用文献１の場合、低伸度の領域の形成方法は、生地に樹脂を接着したり、生地に当て布を縫い付けたり、網組織を変更する等、いろいろな方法が開示されているが、いずれも設備や技術が必要でありコストと手間がかかるものである。また、ウエストにゴム紐が食い込むと、図３に示すように、腹部の肉が前方に張り出し、左右の折り曲げ開始位置Ａの位置で、ゴム紐が長手方向に沿って折り曲げられるが、このように着用者１１の側面の折り曲げ開始位置での折り曲げを防ぐことは考えられていない。
【０００７】
この発明は、上記背景技術の問題点に鑑みてなされたものであり、簡単な構造と簡単な製造方法で、腹部の肉が前方に張り出すことによるベルト部の折れ曲がりを防ぎ、快適に着用することができ、外観も良好な下衣を提供することを目的とする。
【課題を解決するための手段】
【０００８】
本発明は、着用者の下半身を覆う本体と、前記本体に連続し前記着用者のウエストに巻き回すベルト部が設けられ、前記ベルト部には、前記着用者の腹部側に位置する剛性ゴム紐と、それ以外の身体後側に位置する柔性ゴム紐が、環状に連結されて設けられている下衣である。前記剛性ゴム紐は、前記柔性ゴム紐と比較して適度な硬さを有し幅方向に折れ曲がり難いもので長手方向には十分な伸縮性を有し、前記柔性ゴム紐は前記剛性ゴム紐よりも柔軟で長手方向には十分な伸縮性を有している。前記剛性ゴム紐の長手方向の両方の端部と、前記柔性ゴム紐の長手方向の両方の端部は、前記着用者の両脇よりも腹部側へ２ｃｍ〜８ｃｍ移動した位置で各々連結されている。
【０００９】
また、前記剛性ゴム紐と前記柔性ゴム紐の幅は、１０ｃｍ以下の幅広のゴム紐であり、前記剛性ゴム紐の端部と前記柔性ゴム紐の端部は、互いに１ｃｍ〜４ｃｍ程度、例えば２ｃｍ程度重ねて縫い合わされて連結され、互いに重ねて縫い合わされた部分は、前記剛性ゴム紐や前記柔性ゴム紐よりも硬い支持部が形成される。
【００１０】
また、前記ベルト部は、ベルト部用生地を二つ折りし、前記本体の上端部に縫い付けられて筒状の挿通部が形成され、前記挿通部の中には、前記剛性ゴム紐と前記柔性ゴム紐が環状に連結されて挿通され、前記剛性ゴム紐と前記柔性ゴム紐が環状に連結されて形成された輪の長さは、前記着用者のウエストの円周方向の長さよりも少し短く、着用時に適度に伸ばされてウエストを締め付けて着用する。
【発明の効果】
【００１１】
本発明の下衣は、簡単な構造と簡単な製造方法で、腹部の肉が前方に張り出すことによるベルト部の折れ曲がりを防ぎ、快適に着用することができ、外観も良好なものである。剛性ゴム紐は、腹部に食い込まず、広い面積で腹部に密着し、良好な着用感が得られるものである。剛性ゴム紐は腹部側に設けられ、その他の背中側は柔性ゴム紐で設けられているため、身体の動きに合わせて適度に伸縮し、体を動かす際に支障とならない。
【図面の簡単な説明】
【００１２】
【図１】この発明の一実施形態の下衣の正面図（ａ）と右側面図（ｂ）である。
【図２】この実施形態の下衣の使用状態を示す右側面図である。
【図３】従来の下衣の使用状態を示す右側面図である。
【発明を実施するための形態】
【００１３】
以下、この発明の実施形態について図面に基づいて説明する。図１、図２はこの発明の一実施形態を示すもので、この実施形態の下衣１０は、水中での軽運動や水泳等で着用する水着であり、着用者１１のウエスト１１ａから膝部までの下半身を覆うものである。着用者１１の下半身を覆う本体１２は、身体の前面を覆う前身頃１４と、身体の後面を覆う後身頃１６が設けられ、前身頃１４と後身頃１６は、左右の脇１８で、脇布２０を介して縫い合わされている。前身頃１４、後身頃１６、脇布２０は、伸縮性を有する本体用生地１３で作られている。色や柄、素材等、互いに異なる生地で作られてもよい。
【００１４】
本体１２の、着用者１１のウエスト１１ａ周りに位置する上端部１２ａには、ウエスト１１ａに巻き回すベルト部２２が一周して設けられている。ベルト部２２は、一方向に長くカットされたベルト部用生地２４を長手方向に沿って二つ折りし、本体１２の上端部１２ａに縫い付けられている。ベルト部用生地２４は、本体用生地１３と同じものでもよく、異なるものでもよい。二つ折りしたベルト部用生地２４の内側には、筒状の挿通部２６が形成され、挿通部２６は本体１２の上端部１２ａを一周している。
【００１５】
そして、挿通部２６の中には、着用者１１の腹部１１ｂ側に位置する剛性ゴム紐２８と、それ以外の身体後側に位置する柔性ゴム紐３０が、環状に連結されて挿通されている。剛性ゴム紐２８は、適度な硬さを有し、幅方向に折れ曲がり難いもので、長手方向には十分な伸縮性を有する。柔性ゴム紐３０は、剛性ゴム紐２８よりも柔軟なもので、長手方向に十分な伸縮性を有するものである。剛性ゴム紐２８と柔性ゴム紐３０の幅は、４ｃｍ〜８ｃｍの幅広のゴム紐であり、１０ｃｍ以下の幅広ゴムであれば良い。
【００１６】
剛性ゴム紐２８は、柔性ゴム紐３０よりも短く、剛性ゴム紐２８の長手方向の両方の端部２８ａと、柔性ゴム紐３０の長手方向の両方の端部３０ａは、身体の両方の脇１８よりも前身頃１４へ２ｃｍ〜８ｃｍ、好ましくは４ｃｍ〜６ｃｍ移動した位置で、連結されている。この位置は、図３に示すようにベルト部２２が腹部１１ｂに押されて下方へ折り曲がる際に、折り曲げの端部に位置する折り曲げ開始位置Ａである。折り曲げ開始位置Ａで連結されている部分は、剛性ゴム紐２８の端部２８ａと、柔性ゴム紐３０の端部３０ａが、長手方向に沿って１ｃｍ〜４ｃｍ、例えば２ｃｍ程度重ねて縫い合わされ、剛性ゴム紐２８や柔性ゴム紐３０よりも硬い支持部３２が形成される。支持部３２は、剛性ゴム紐２８、柔性ゴム紐３０の幅全長にわたって形成されている。剛性ゴム紐２８と柔性ゴム紐３０が環状に連結されて形成された輪の長さは、着用者１１のウエスト１１ａの周方向長さよりも少し短く、着用時に適度に伸ばされてウエスト１１ａを締め付けて着用する。
【００１７】
剛性ゴム紐２８と柔性ゴム紐３０は、天然ゴム糸やポリウレタン弾性糸等の弾性と剛性のある弾性糸を、綿糸、ポリエステル糸、ナイロン糸、等の衣料用繊維の糸で織ったり、編んだり、組んだり、横巻きしたりして被覆したものや、熱可塑性の接着樹脂を布に塗布したものであり、平断面で幅の広いものを採用する。剛性ゴム紐２８と柔性ゴム紐３０の幅は互いに同じでもよく、異なる幅でもよい。
【００１８】
この実施形態の下衣１０の使用方法は、水中の軽運動や競技の際に、図２に示すように着用する。ベルト部２２は着用者１１のウエスト１１ａに巻き回され、剛性ゴム紐２８は腹部１１ｂに位置し、柔性ゴム紐３０は身体後側に位置している。一対の支持部３２は、腹部１１ｂの両脇付近の折り曲げ開始位置Ａに位置する。柔性ゴム紐３０は着用状態で長手方向に引き伸ばされることによって厚みが薄くなるとともに、長手方向と交差する方向の幅が縮み、折れ曲がりやすくなるが、腹部１１ｂ側に位置する剛性ゴム紐２８は適度な硬さを有するため、幅方向に縮んだり、折り曲がったりすることが無い。
【００１９】
この実施形態の下衣１０によれば、簡単な構造と簡単な製造方法で、腹部１１ｂの肉が前方に張り出すことによるベルト部２２の折れ曲がりを防ぎ、快適に着用することができ、外観も良好である。ベルト部２２は、腹部１１ｂの突出している付近を略水平に巻き回して装着され、腹部１１ｂを引き締め、外観がすっきりする。ベルト部２２が折れ曲がることが無いため、広い面積で腹部１１ｂに密着し、圧迫感を感じることが無い。剛性ゴム紐２８と柔性ゴム紐３０は、幅の広いゴム紐を採用しているため、ウエスト１１ａへの圧力が低く、ソフトにウエスト１１ａを抑え、着用感が良好であり、またベルト部２２とウエスト１１ａの間で段差が生じることが無く外観もすっきりする。
【００２０】
剛性ゴム紐２８は腹部１１ｂ側のみに設けられ、その他の背中側は柔性ゴム紐３０で設けられているため、身体の動きに合わせて十分に伸縮し、支障なく円滑に運動することができる。着用者１１が屈伸運動等をしても皮膚に追従し、剛性ゴム紐２８は折れ曲がり難いため一度曲がっても元に復元することができる。なお、剛性ゴム紐２８は適度な硬さを有するが伸縮性も有しているため、苦しくなく、適度な強さでフィットする。
【００２１】
また、腹部１１ｂの両脇の折り曲げ開始位置Ａに、剛性ゴム紐２８や柔性ゴム紐３０よりも硬い支持部３２が位置し、支持部３２は剛性ゴム紐２８、柔性ゴム紐３０の幅にわたって形成されているため、剛性ゴム紐２８が折り曲げ開始位置Ａを補強し、折れ曲がりを確実に防止することができる。
【００２２】
なお、この実施形態の下衣は、上記実施の形態に限定されるものではなく、裾の長さや横幅等は自由に変更可能であり、脇布は無くてもよい。剛性ゴム紐と柔性ゴム紐の連結方法は、縫製以外に接着等、適宜選択可能である。支持部の位置や幅は、上記以外でも良い。また下衣は水着以外でもよく、ズボンやスパッツ等何でもよく、男性用と女性用のどちらでもよい。ベルト部用生地と本体用生地は自由に選択可能であり、柔軟性の無い生地でもよい。
【符号の説明】
【００２３】
１０  下衣
１１  着用者
１１ａ  ウエスト
１１ｂ  腹部
１２  本体
２２  ベルト部
２４  ベルト部用生地
２６  挿通部
２８  剛性ゴム紐
２８ａ，３０ａ  端部
３０  柔性ゴム紐
３２  支持部
【図１】
2019099967.tif 000003
【図２】
2019099967.tif 000004
【図３】
2019099967.tif 000005